【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
画像データを生成して転送するホスト装置と、前記転送された画像データを受信して前記画像データに基づいて記録ヘッドを走査することで記録媒体にマルチパス記録を行う記録装置とから成る記録システムであって、
前記ホスト装置は、
前記画像データの圧縮パターンを生成する圧縮パターン生成手段と、
前記圧縮パターン生成手段によって生成された圧縮パターンを用いて、前記記録ヘッドの１記録走査分の前記画像データを圧縮する圧縮手段と、
前記圧縮パターン生成手段により生成された圧縮パターンと前記圧縮手段により圧縮された前記記録ヘッドの１記録走査分の圧縮画像データを前記記録装置に転送する転送手段とを有し、
前記記録装置は、
前記転送された圧縮パターンと圧縮画像データとを受信する受信手段と、
前記受信手段によって受信された圧縮パターンを伸長パターンとして格納する格納手段と、
前記格納手段に格納された伸長パターンを用いて、前記受信手段により受信された圧縮画像データを伸長する伸長手段と、
前記伸長手段により伸長された画像データを格納するプリントバッファと、
前記プリントバッファに格納された画像データを用いて前記記録ヘッドを走査してマルチパス記録を行う記録手段とを有することを特徴とする記録システム。
【請求項２】
前記圧縮手段は、
前記圧縮パターンを用いて圧縮を行う第１の圧縮手段と、
前記第１の圧縮手段によって圧縮された画像データをパックビッツ圧縮する第２の圧縮手段とを含み、
前記伸長手段は、
前記受信した圧縮画像データをパックビッツ解凍する第１の伸長手段と、
前記第１の伸長手段によってパックビッツ解凍された画像データを前記伸長パターンを用いて伸長する第２の伸長手段とを含むことを特徴とする請求項１に記載の記録システム。
【請求項３】
前記圧縮パターンは、前記記録ヘッドの１走査記録に用いられる画像データ毎に変更されることを特徴とする請求項１又は２に記載の記録システム。
【請求項４】
画像データを生成して転送するホスト装置と、前記転送された画像データを受信して前記画像データに基づいて記録ヘッドを走査することで記録媒体にマルチパス記録を行う記録装置とから成る記録システムにおける記録方法であって、
前記画像データの圧縮パターンを生成する圧縮パターン生成工程と、
前記圧縮パターン生成工程において生成された圧縮パターンを用いて、前記記録ヘッドの１記録走査分の前記画像データを圧縮する圧縮工程と、
前記圧縮パターン生成工程において生成された圧縮パターンと前記圧縮工程において圧縮された前記記録ヘッドの１記録走査分の圧縮画像データを前記記録装置に転送する転送工程と、
前記転送された圧縮パターンと圧縮画像データとを受信する受信工程と、
前記受信工程において受信された圧縮パターンを伸長パターンとしてメモリに格納する格納工程と、
前記メモリに格納された伸長パターンを用いて、前記受信工程において受信された圧縮画像データを伸長してプリントバッファに格納する伸長工程と、
前記プリントバッファに格納された画像データを用いて前記記録ヘッドを走査してマルチパス記録を行う記録工程とを有することを特徴とする記録方法。
【請求項５】
ホスト装置より転送された圧縮画像データを受信して前記圧縮画像データに基づいて記録ヘッドを走査することで記録媒体にマルチパス記録を行う記録装置であって、
前記記録ヘッドの１記録走査分の前記圧縮画像データと該圧縮画像データを生成するのに用いられた圧縮パターンとを受信する受信手段と、
前記受信手段によって受信された圧縮パターンを伸長パターンとして格納する格納手段と、
前記格納手段に格納された伸長パターンを用いて、前記受信手段により受信された圧縮画像データを伸長する伸長手段と、
前記伸長手段により伸長された画像データを格納するプリントバッファと、
前記プリントバッファに格納された画像データを用いて前記記録ヘッドを走査してマルチパス記録を行う記録手段とを有することを特徴とする記録装置。
【請求項６】
前記伸長手段は、
前記受信した圧縮画像データをパックビッツ解凍する第１の伸長手段と、
前記第１の伸長手段によってパックビッツ解凍された画像データを前記伸長パターンを用いて伸長する第２の伸長手段とを含むことを特徴とする請求項５に記載の記録装置。
【請求項７】
前記圧縮パターンを、前記記録ヘッドの１走査記録に用いられる画像データ毎に前記ホスト装置から受信することを特徴とする請求項５又は６に記載の記録装置。
【請求項８】
前記プリントバッファの容量は、前記記録ヘッドの１記録走査に必要な画像データ量よりも少ないことを特徴とする請求項５乃至７のいずれか１項に記載の記録装置。
【請求項９】
前記記録ヘッドは、インクを吐出して記録を行うインクジェット記録ヘッドであることを特徴とする請求項５乃至８のいずれか１項に記載の記録装置。
【請求項１０】
画像データを生成して該画像データを、記録ヘッドを走査することで記録媒体にマルチパス記録を行う記録装置に転送するホスト装置で実行されるドライバであって、
前記画像データの圧縮パターンを生成する圧縮パターン生成手段と、
前記圧縮パターン生成手段によって生成された圧縮パターンを用いて、前記記録ヘッドの１記録走査分の前記画像データを圧縮する圧縮手段と、
前記圧縮パターン生成手段により生成された圧縮パターンと前記圧縮手段により圧縮された前記記録ヘッドの１記録走査分の圧縮画像データを前記記録装置に転送する転送手段とを有することを特徴とするドライバ。
【手続補正２】
【補正対象書類名】明細書
【補正対象項目名】０００８
【補正方法】変更
【補正の内容】
【０００８】
即ち、画像データを生成して転送するホスト装置と、前記転送された画像データを受信して前記画像データに基づいて記録ヘッドを走査することで記録媒体にマルチパス記録を行う記録装置とから成る記録システムであって、前記ホスト装置は、前記画像データの圧縮パターンを生成する圧縮パターン生成手段と、前記圧縮パターン生成手段によって生成された圧縮パターンを用いて、前記記録ヘッドの１記録走査分の前記画像データを圧縮する圧縮手段と、前記圧縮パターン生成手段により生成された圧縮パターンと前記圧縮手段により圧縮された前記記録ヘッドの１記録走査分の圧縮画像データを前記記録装置に転送する転送手段とを有し、前記記録装置は、前記転送された圧縮パターンと圧縮画像データとを受信する受信手段と、前記受信手段によって受信された圧縮パターンを伸長パターンとして格納する格納手段と、前記格納手段に格納された伸長パターンを用いて、前記受信手段により受信された圧縮画像データを伸長する伸長手段と、前記伸長手段により伸長された画像データを格納するプリントバッファと、前記プリントバッファに格納された画像データを用いて前記記録ヘッドを走査してマルチパス記録を行う記録手段とを有することを特徴とする。
【手続補正３】
【補正対象書類名】明細書
【補正対象項目名】００１１
【補正方法】変更
【補正の内容】
【００１１】
また他の発明によれば、画像データを生成して転送するホスト装置と、前記転送された画像データを受信して前記画像データに基づいて記録ヘッドを走査することで記録媒体にマルチパス記録を行う記録装置とから成る記録システムにおける記録方法であって、前記画像データの圧縮パターンを生成する圧縮パターン生成工程と、前記圧縮パターン生成工程において生成された圧縮パターンを用いて、前記記録ヘッドの１記録走査分の前記画像データを圧縮する圧縮工程と、前記圧縮パターン生成工程において生成された圧縮パターンと前記圧縮工程において圧縮された前記記録ヘッドの１記録走査分の圧縮画像データを前記記録装置に転送する転送工程と、前記転送された圧縮パターンと圧縮画像データとを受信する受信工程と、前記受信工程において受信された圧縮パターンを伸長パターンとしてメモリに格納する格納工程と、前記メモリに格納された伸長パターンを用いて、前記受信工程において受信された圧縮画像データを伸長してプリントバッファに格納する伸長工程と、前記プリントバッファに格納された画像データを用いて前記記録ヘッドを走査してマルチパス記録を行う記録工程とを有することを特徴とする記録方法を備える。
【手続補正４】
【補正対象書類名】明細書
【補正対象項目名】００１２
【補正方法】変更
【補正の内容】
【００１２】
さらに他の発明によれば、ホスト装置より転送された圧縮画像データを受信して前記圧縮画像データに基づいて記録ヘッドを走査することで記録媒体にマルチパス記録を行う記録装置であって、前記記録ヘッドの１記録走査分の前記圧縮画像データと該圧縮画像データを生成するのに用いられた圧縮パターンとを受信する受信手段と、前記受信手段によって受信された圧縮パターンを伸長パターンとして格納する格納手段と、前記格納手段に格納された伸長パターンを用いて、前記受信手段により受信された圧縮画像データを伸長する伸長手段と、前記伸長手段により伸長された画像データを格納するプリントバッファと、前記プリントバッファに格納された画像データを用いて前記記録ヘッドを走査してマルチパス記録を行う記録手段とを有することを特徴とする記録装置を備える。